(57)【要約】【課題】不感知エリアを簡易に、またより正確に検出することが可能な不感知エリア検出方法及び移動通信システムを提供する。【解決手段】ＧＰＳ受信部を備えた携帯電話機によりＧＰＳ信号の受信状態及び無線基地局との無線通信状態を常時監視し、ＧＰＳ信号が受信可能で、かつ無線基地局との無線通信ができないときにＧＰＳ情報を取得して圏外位置情報として記録し、無線基地局との無線通信が可能になった時点で該記録した圏外位置情報を携帯電話機から無線基地局を介して携帯電話サービスを管理する移動通信管理センターへ送信し、携帯電話機から移動通信管理センターへ送信された圏外位置情報を情報処理装置により統計処理し、携帯電話サービスを提供できない不感知エリアの候補地の推定、または無線基地局の稼動状態を監視する。【選択図】  図１
2004235827.tif 000002
【特許請求の範囲】
【請求項１】
携帯電話サービスを提供できない不感知エリアを検出するための不感知エリア検出方法であって、
予め携帯電話機に、ＧＰＳ衛星から送信されるＧＰＳ信号を受信し、自機の位置を示すＧＰＳ情報を取得するためのＧＰＳ受信部を備えておき、
前記携帯電話機により前記ＧＰＳ信号の受信状態及び無線基地局との無線通信状態を常時監視し、前記ＧＰＳ信号が受信可能で、かつ前記無線基地局との無線通信ができないときに前記ＧＰＳ情報を取得して圏外位置情報として記録し、
前記無線基地局との無線通信が可能になった時点で該記録した圏外位置情報を前記携帯電話機から前記無線基地局を介して前記携帯電話サービスを管理する移動通信管理センターへ送信し、
前記携帯電話機から前記移動通信管理センターへ送信された圏外位置情報を情報処理装置により統計処理し、携帯電話サービスを提供できない不感知エリアの候補地を推定する不感知エリア検出方法。
【請求項２】
前記情報処理装置に、前記圏外位置情報を蓄積するための不感知エリア管理マップを備え、
前記圏外位置の検出回数を積算し、該積算値が予め設定したしきい値を越えた場合に、対応する圏外位置を不感知エリアの候補地として出力する請求項１記載の不感知エリア検出方法。
【請求項３】
移動通信システムが備える複数の無線基地局の稼動状態を監視するための稼動状態監視方法であって、
予め携帯電話機に、ＧＰＳ衛星から送信されるＧＰＳ信号を受信し、自機の位置を示すＧＰＳ情報を取得するためのＧＰＳ受信部を備えておき、
前記携帯電話機により前記ＧＰＳ信号の受信状態及び前記無線基地局との無線通信状態を常時監視し、前記ＧＰＳ信号が受信可能で、かつ前記無線基地局との無線通信ができないときに前記ＧＰＳ情報を取得して圏外位置情報として記録し、
前記無線基地局との無線通信が可能になった時点で該記録した圏外位置情報を前記携帯電話機から前記無線基地局を介して前記携帯電話サービスを管理する移動通信管理センターへ送信し、
前記携帯電話機から前記移動通信管理センターへ送信された圏外位置情報を情報処理装置により統計処理し、前記無線基地局の稼動状態を監視する稼動状態監視方法。
【請求項４】
前記情報処理装置に、前記圏外位置情報を蓄積するための不感知エリア管理マップを備え、
前記圏外位置の検出回数を積算し、該積算値が予め設定したしきい値を越えた場合に、該圏外位置に対応する無線基地局を不良候補として出力する請求項３記載の稼動状態監視方法。
【請求項５】
無線基地局と、
前記無線基地局と情報の送受信が可能な、携帯電話サービスを管理する移動通信管理センターと、
ＧＰＳ衛星から送信されるＧＰＳ信号を受信し、自機の位置を示すＧＰＳ情報を取得するためのＧＰＳ受信部を備え、前記ＧＰＳ信号の受信状態及び前記無線基地局との無線通信状態を常時監視し、前記ＧＰＳ信号が受信可能で、かつ前記無線基地局との無線通信ができないときに前記ＧＰＳ情報を取得して圏外位置情報として記録し、前記無線基地局との無線通信が可能になった時点で該記録した圏外位置情報を前記無線基地局を介して前記移動通信管理センターへ送信する携帯電話機と、
前記携帯電話機から前記移動通信管理センターへ送信された圏外位置情報を統計処理し、携帯電話サービスを提供できない不感知エリアの候補地を推定する情報処理装置と、
を有する移動通信システム。
【請求項６】
前記情報処理装置は、
前記圏外位置情報を蓄積するための不感知エリア管理マップを備え、
前記圏外位置情報の検出回数を積算し、該積算値が予め設定したしきい値を越えた場合に、対応する圏外位置情報を不感知エリアの候補地として出力する請求項５記載の移動通信システム。
【請求項７】
無線基地局と、
前記無線基地局と情報の送受信が可能な、携帯電話サービスを管理する移動通信管理センターと、
ＧＰＳ衛星から送信されるＧＰＳ信号を受信し、自機の位置を示すＧＰＳ情報を取得するためのＧＰＳ受信部を備え、前記ＧＰＳ信号の受信状態及び前記無線基地局との無線通信状態を常時監視し、前記ＧＰＳ信号が受信可能で、かつ前記無線基地局との無線通信ができないときに前記ＧＰＳ情報を取得して圏外位置情報として記録し、前記無線基地局との無線通信が可能になった時点で該記録した圏外位置情報を前記無線基地局を介して前記移動通信管理センターへ送信する携帯電話機と、
前記携帯電話機から前記移動通信管理センターへ送信された圏外位置情報を統計処理し、前記無線基地局の稼動状態を監視する情報処理装置と、
を有する移動通信システム。
【請求項８】
前記情報処理装置は、
前記圏外位置情報を蓄積するための不感知エリア管理マップを備え、
前記圏外位置情報の検出回数を積算し、該積算値が予め設定したしきい値を越えた場合に、該圏外位置に対応する無線基地局を不良候補として出力する請求項７記載の移動通信システム。
【請求項９】
ＧＰＳ衛星から送信されるＧＰＳ信号を受信し、自機の位置を示すＧＰＳ情報を取得するためのＧＰＳ受信部と、
前記ＧＰＳ信号の受信状態及び前記無線基地局との無線通信状態を常時監視し、前記ＧＰＳ信号が受信可能で、かつ前記無線基地局との無線通信ができないときに前記ＧＰＳ情報を取得して圏外位置情報として記録し、前記無線基地局との無線通信が可能になった時点で該記録した圏外位置情報を前記無線基地局を介して移動通信システムを管理する移動通信管理センターへ送信する制御部と、
を有する携帯電話機。
【請求項１０】
複数の携帯電話機から送信される、携帯電話サービスが提供できない不感知エリアの候補地となる可能性がある場所の位置を示す圏外位置情報を蓄積するための不感知エリア管理マップを備えた記憶装置と、
前記圏外位置情報の検出回数を積算し、該積算値が予め設定したしきい値を越えた場合に、対応する圏外位置を不感知エリアの候補地として出力する処理装置と、
を有する情報処理装置。
【請求項１１】
複数の携帯電話機から送信される、不良候補となる可能性のある無線基地局のエリアを示す圏外位置情報を蓄積するための不感知エリア管理マップを備えた記憶装置と、
前記圏外位置情報の検出回数を積算し、該積算値が予め設定したしきい値を越えた場合に、該圏外位置に対応する無線基地局を不良候補として出力する処理装置と、
を有する情報処理装置。
【発明の詳細な説明】
【０００１】
【発明の属する技術分野】
本発明は、携帯電話機で代表される移動通信システムに関し、特に携帯電話サービスを提供できない不感知エリアを検出するための不感知エリア検出方法に関する。
【０００２】
【従来の技術】
携帯電話サービスを提供する移動通信システムにおいては、従来から携帯電話機の周辺環境の影響（建造物による反射や電波干渉等）により携帯電話サービスが提供できない不感知エリアが発生することが知られている。また、都市部等では、新たに建造物が建設されることで環境が変化し、それまで携帯電話サービスの提供が可能な場所であっても不感知エリアになってしまうこともある。
【０００３】
携帯電話サービスを提供する事業者は、携帯電話サービスの品質を維持するために、不感知エリアを検出し、エリア構成の変更や無線基地局の増設等を行う必要がある。
【０００４】
通常、不感知エリアの調査は、利用者からの苦情や携帯電話機と無線基地局間の無線回線から得られる品質情報等に基づいて、電波強度等を測定するための測定装置を搭載したエリア測定車を調査対象のサービスエリアに派遣し、実際に電波環境等を測定することで対応している。
【０００５】
しかしながら、このような方法では調査に多大な時間と費用を要するだけでなく、リアルタイム性に欠ける等の問題が有るため、簡易に不感知エリアが検出できる手法が望まれる。そこで、携帯電話機で通信異常を検出した場合に、その時間、場所、通信異常の要因種別を記録し、発信可能な場所で蓄積した情報をネットワークに送信し、ネットワークでそれらの情報を統計処理して品質上問題のある地点を分析する通信品質維持方法が提案されている（例えば、特許文献１参照）。
【０００６】
【特許文献１】
特開２００２−２７１８３３号
【０００７】
【発明が解決しようとする課題】
しかしながら上記したような通信品質維持方法では、携帯電話機からの発信時または携帯電話機への着信時に通信異常が検出された場合にのみ、その時間、場所、通信異常の要因種別等の異常情報がネットワークに送信されるため、異常情報の収集機会が制限され、不感知エリアをより正確に特定することができない問題がある。
【０００８】
本発明は上記したような従来の技術が有する問題点を解決するためになされたものであり、不感知エリアを簡易に、またより正確に検出することが可能な不感知エリア検出方法及び移動通信システムを提供することを目的とする。
【０００９】
【課題を解決するための手段】
上記目的を達成するため本発明の不感知エリア検出方法は、携帯電話サービスを提供できない不感知エリアを検出するための不感知エリア検出方法であって、
予め携帯電話機に、ＧＰＳ衛星から送信されるＧＰＳ信号を受信し、自機の位置を示すＧＰＳ情報を取得するためのＧＰＳ受信部を備えておき、
前記携帯電話機により前記ＧＰＳ信号の受信状態及び無線基地局との無線通信状態を常時監視し、前記ＧＰＳ信号が受信可能で、かつ前記無線基地局との無線通信ができないときに前記ＧＰＳ情報を取得して圏外位置情報として記録し、
前記無線基地局との無線通信が可能になった時点で該記録した圏外位置情報を前記携帯電話機から前記無線基地局を介して前記携帯電話サービスを管理する移動通信管理センターへ送信し、
前記携帯電話機から前記移動通信管理センターへ送信された圏外位置情報を情報処理装置により統計処理し、携帯電話サービスを提供できない不感知エリアの候補地を推定する方法である。
【００１０】
このとき、前記情報処理装置に、前記圏外位置情報を蓄積するための不感知エリア管理マップを備え、
前記圏外位置の検出回数を積算し、該積算値が予め設定したしきい値を越えた場合に、対応する圏外位置を不感知エリアの候補地として出力してもよい。
【００１１】
また、本発明の稼動状態監視方法は、移動通信システムが備える複数の無線基地局の稼動状態を監視するための稼動状態監視方法であって、
予め携帯電話機に、ＧＰＳ衛星から送信されるＧＰＳ信号を受信し、自機の位置を示すＧＰＳ情報を取得するためのＧＰＳ受信部を備えておき、
前記携帯電話機により前記ＧＰＳ信号の受信状態及び前記無線基地局との無線通信状態を常時監視し、前記ＧＰＳ信号が受信可能で、かつ前記無線基地局との無線通信ができないときに前記ＧＰＳ情報を取得して圏外位置情報として記録し、
前記無線基地局との無線通信が可能になった時点で該記録した圏外位置情報を前記携帯電話機から前記無線基地局を介して前記携帯電話サービスを管理する移動通信管理センターへ送信し、
前記携帯電話機から前記移動通信管理センターへ送信された圏外位置情報を情報処理装置により統計処理し、前記無線基地局の稼動状態を監視する方法である。
【００１２】
このとき、前記情報処理装置に、前記圏外位置情報を蓄積するための不感知エリア管理マップを備え、
前記圏外位置の検出回数を積算し、該積算値が予め設定したしきい値を越えた場合に、該圏外位置に対応する無線基地局を不良候補として出力してもよい。
【００１３】
一方、本発明の移動通信システムは、無線基地局と、
前記無線基地局と情報の送受信が可能な、携帯電話サービスを管理する移動通信管理センターと、
ＧＰＳ衛星から送信されるＧＰＳ信号を受信し、自機の位置を示すＧＰＳ情報を取得するためのＧＰＳ受信部を備え、前記ＧＰＳ信号の受信状態及び前記無線基地局との無線通信状態を常時監視し、前記ＧＰＳ信号が受信可能で、かつ前記無線基地局との無線通信ができないときに前記ＧＰＳ情報を取得して圏外位置情報として記録し、前記無線基地局との無線通信が可能になった時点で該記録した圏外位置情報を前記無線基地局を介して前記移動通信管理センターへ送信する携帯電話機と、
前記携帯電話機から前記移動通信管理センターへ送信された圏外位置情報を統計処理し、携帯電話サービスを提供できない不感知エリアの候補地を推定する情報処理装置と、
を有する構成である。
【００１４】
このとき、前記情報処理装置は、
前記圏外位置情報を蓄積するための不感知エリア管理マップを備え、
前記圏外位置情報の検出回数を積算し、該積算値が予め設定したしきい値を越えた場合に、対応する圏外位置情報を不感知エリアの候補地として出力してもよい。
【００１５】
または、本発明の移動通信システムは、無線基地局と、
前記無線基地局と情報の送受信が可能な、携帯電話サービスを管理する移動通信管理センターと、
ＧＰＳ衛星から送信されるＧＰＳ信号を受信し、自機の位置を示すＧＰＳ情報を取得するためのＧＰＳ受信部を備え、前記ＧＰＳ信号の受信状態及び前記無線基地局との無線通信状態を常時監視し、前記ＧＰＳ信号が受信可能で、かつ前記無線基地局との無線通信ができないときに前記ＧＰＳ情報を取得して圏外位置情報として記録し、前記無線基地局との無線通信が可能になった時点で該記録した圏外位置情報を前記無線基地局を介して前記移動通信管理センターへ送信する携帯電話機と、
前記携帯電話機から前記移動通信管理センターへ送信された圏外位置情報を統計処理し、前記無線基地局の稼動状態を監視する情報処理装置と、
を有する構成である。
【００１６】
このとき、前記情報処理装置は、
前記圏外位置情報を蓄積するための不感知エリア管理マップを備え、
前記圏外位置情報の検出回数を積算し、該積算値が予め設定したしきい値を越えた場合に、該圏外位置に対応する無線基地局を不良候補として出力してもよい。
【００１７】
上記のような不感知エリア検出方法、稼動状態監視方法及び移動通信システムでは、携帯電話機によりＧＰＳ信号の受信状態及び無線基地局との無線通信状態を常時監視し、ＧＰＳ信号が受信可能で、かつ無線基地局との無線通信ができないときにＧＰＳ情報を取得して圏外位置情報として記録し、無線基地局との無線通信が可能になった時点で該記録した圏外位置情報を携帯電話機から無線基地局を介して携帯電話サービスを管理する移動通信管理センターへ送信し、携帯電話機から移動通信管理センターへ送信された圏外位置情報を情報処理装置により統計処理し、携帯電話サービスを提供できない不感知エリアの候補地の推定、または無線基地局の稼動状態を監視することで、携帯電話サービスを提供する事業者や携帯電話を利用する利用者が意識することなく、不感知エリアの候補地や無線基地局の稼動状態が自動的に検出される。
【００１８】
【発明の実施の形態】
次に本発明について図面を参照して説明する。
【００１９】
図１は本発明の移動通信システムの一構成例を示すブロック図である。また、図２は図１に示した携帯電話機の構成を示すブロック図であり、図３は図１に示した情報処理装置の構成を示すブロック図である。図４は図３に示したデータ蓄積装置に格納される不感知エリア管理マップの一例を示すテーブル図である。
【００２０】
図１に示すように、本発明の移動通信システムは、ＧＰＳ（Ｇｌｏｂａｌ  Ｐｏｓｉｔｉｏｎｉｎｇ  Ｓｙｓｔｅｍ）信号を送出するＧＰＳ衛星１と、携帯電話機２と無線通信を行う無線基地局３と、無線基地局３を介して携帯電話機２から送信される発呼信号や位置登録信号、及び不感知エリアの可能性がある場所の位置を示す圏外位置情報を受信する移動通信管理センター４と、移動通信管理センター４に送信された圏外位置情報を集計し、不感知エリアの候補地の推定、または無線基地局３の稼動状態を監視するための情報処理装置５とを有する構成である。
【００２１】
図２に示すように、携帯電話機２は、無線基地局３と通信を行う送受信部２１と、ＧＰＳ衛星１から送出されるＧＰＳ信号を受信するＧＰＳ受信部２２と、ＧＰＳ信号が受信可能で、かつ無線基地局３と通信できない場合に、自機位置を示すＧＰＳ情報を取得して記録し、無線基地局３との通信が可能になった時点で記録した圏外位置情報を無線基地局３へ送信する制御部２３と、携帯電話機２に情報や指示内容等を入力するための操作キーから成る入力部２４と、情報の表示を行う表示部２５と、音声の入出力を行う音声入出力部２６と、入力部２４、表示部２５、音声入出力部２６とのインタフェース部である入出力制御部２７とを有する構成である。
【００２２】
図３に示すように、情報処理装置５は、プログラムにしたがって所定の処理を実行する処理装置１０と、処理装置１０に対してコマンドや情報等を入力するための入力装置２０と、処理装置１０の処理結果をモニタするための出力装置３０とを有する構成である。
【００２３】
処理装置１０は、ＣＰＵ１１と、ＣＰＵ１１の処理で必要な情報を一時的に記憶する主記憶装置１２と、ＣＰＵ１１に上記圏外位置情報の統計処理を実行させ、不感知エリアの候補地の推定、または無線基地局３の稼動状態を監視させるためのプログラムが記録された記録媒体１３と、圏外位置情報が蓄積されるデータ蓄積装置１４と、主記憶装置１２、記録媒体１３、及びデータ蓄積装置１４とのデータ転送を制御するメモリ制御インタフェース部１５と、入力装置２０及び出力装置３０とのインタフェース装置であるＩ／Ｏインタフェース部１６と、移動通信管理センター４との通信を制御するインタフェースである通信制御装置１７とを備え、それらがバス１８を介して接続された構成である。
【００２４】
処理装置１０は、記録媒体１３に記録されたプログラムにしたがって以下に記載する本発明の不感知エリア検出処理及び稼動状態監視処理を実行する。なお、記録媒体１３は、磁気ディスク、半導体メモリ、光ディスクあるいはその他の記録媒体であってもよい。
【００２５】
ＣＰＵ１１は、携帯電話機２から送出される圏外位置情報が移動通信管理センター４から転送されると、その圏外位置の検出回数を積算してデータ蓄積装置１４に格納し、予め設定したしきい値を超えるエリアを不感知エリアの候補地としてディスプレイやプリンター等の出力装置３０へ出力する。または、予め設定したしきい値を超えるエリアに対応する無線基地局３を不良候補としてディスプレイやプリンター等の出力装置３０へ出力する。
【００２６】
データ蓄積装置１４は、例えば図４に示す不感知エリア管理マップを備え、ＣＰＵ１１で算出された圏外位置の検出回数の積算値を蓄積する。
【００２７】
次に、本発明の不感知エリア検出方法及び稼動状態監視方法の処理手順について図５，６を用いて説明する。
【００２８】
図５は本発明の移動通信システム内を携帯電話機が移動する様子を示す模式図であり、図６は図５に示した各エリアと携帯電話機による電波受信状況とを対比させたテーブル図である。
【００２９】
まず、図５に示す位置Ａは、携帯電話機２でＧＰＳ衛星１からの電波及び無線基地局３からの電波をそれぞれ受信できるサービスエリアである（図６Ａ参照）。サービスエリアは、無線基地局３で管理可能な平地であり、周囲の建造物の影響や電波干渉が少ないエリアである。サービスエリア内の携帯電話機２は、移動通信管理センター４に位置登録され、その位置登録情報に基づいて周知の携帯電話サービスを受けることができる。
【００３０】
図５に示す位置Ｂは、携帯電話機２でＧＰＳ衛星１からの電波及び無線基地局３からの電波を共に受信できない位置である。例えば、トンネル内や地下街等がこの環境に相当する（図６Ｂ参照）。この位置Ｂは、一般的にサービスエリア外として扱われ、本発明でも不感知エリアの候補地とは認定せずに検出処理等を実行しない。このサービスエリア外に移動した携帯電話機２には携帯電話サービスが提供されない。
【００３１】
図５に示す位置Ｃは、携帯電話機２でＧＰＳ衛星１からの電波を受信できるが、無線基地局３からの電波が受信できない位置である。一般に、ＧＰＳ衛星１からの電波を受信できる環境では携帯電話機２も無線基地局３からの電波も受信できる。但し、山間部、僻地、海上など携帯電話サービスを提供する事業者がサービス提供の対象外としている地域は除く。したがって、このような位置は、建造物や電波の干渉等によってスポット的に不感知エリアとなっている可能性がある不感知エリアの候補地である（図６Ｃ参照）。なお、無線基地局３で障害が発生した場合も携帯電話機２でＧＰＳ衛星１からの電波を受信できるが、無線基地局３からの電波が受信できない位置となる。このような位置に対応する無線基地局３は不良候補となる。
【００３２】
本発明の携帯電話機２は、制御部２３により、ＧＰＳ信号の受信可否及び無線基地局３からの電波の受信可否を常に監視し、不感知エリアの候補地に移動することで、ＧＰＳ信号の受信が可能で、かつ無線基地局３からの電波が受信できない状態を検出すると、不感知エリアの候補地として、その地点のＧＰＳ情報（緯度、経度）をＧＰＳ信号から取得し、記録する。
【００３３】
図５に示す位置Ｄは、携帯電話機２でＧＰＳ衛星１からの電波及び無線基地局３からの電波をそれぞれ受信できるサービスエリアである（図６Ｄ参照）。例えば、図５に示す位置Ｃから位置Ｄに移動した携帯電話機２は、先に記録したＧＰＳ情報（緯度、経度）を圏外位置情報として無線基地局３を介して移動通信管理センター４へ送信する。
【００３４】
移動通信管理センター４は、携帯電話機２からの圏外位置情報を受信すると、情報処理装置５へその圏外位置情報を転送する。情報処理装置５は、移動通信管理センター４から転送された圏外位置情報を図４に示した不感知エリア管理マップ上にマッピングし、各圏外位置の検出回数を累積積算する。そして、積算値が予め設定したしきい値を越えた場合、その圏外位置を不感知エリアの候補地、またはその圏外位置に対応する無線基地局３を不良候補として、ディスプレイやプリンター等の出力装置３０へ出力する。併せて、この積算値をクリアする。
【００３５】
携帯電話サービスを提供する事業者は、出力された不感知エリアの候補地（緯度・経度情報）、または無線基地局３の不良候補をサービスエリアマップと照合し、不感知エリアであるか否か、または対応する無線基地局３が不良であるか否かを判定し、必要に応じてエリア構成の見直しや無線基地局３の増設、あるいは無線基地局３の修理やメンテナンスを行う。
【００３６】
なお、図６に示す位置Ｅは、携帯電話機２でＧＰＳ衛星１からの電波が受信できず、無線基地局３からの電波が受信できる位置である。このような場所はＧＰＳ信号の受信環境が悪いエリアであり、本発明では不感知エリアの候補地の選定対象とはしない。
【００３７】
本発明の不感知エリア検出方法及び稼動状態監視方法によれば、携帯電話サービスを提供する事業者は、不感知エリアの検出や無線基地局３の稼動状態の監視を簡易に行うことができる。
【００３８】
特に、本発明では携帯電話機２が自機周辺の電波環境を常時監視していることになるため、エリア測定車が入れない場所（但し、人が入れる場所）や新たに建造物等が竣工されたために電波環境が変わった場所等も不感知エリアであるか否かを、容易に、かつより正確に検出できる。
【００３９】
【発明の効果】
本発明は以上説明したように構成されているので、以下に記載する効果を奏する。
【００４０】
携帯電話機によりＧＰＳ信号の受信状態及び無線基地局との無線通信状態を常時監視し、ＧＰＳ信号が受信可能で、かつ無線基地局との無線通信ができないときにＧＰＳ情報を取得して圏外位置情報として記録し、無線基地局との無線通信が可能になった時点で該記録した圏外位置情報を携帯電話機から無線基地局を介して携帯電話サービスを管理する移動通信管理センターへ送信し、携帯電話機から移動通信管理センターへ送信された圏外位置情報を情報処理装置により統計処理し、携帯電話サービスを提供できない不感知エリアの候補地の推定、または無線基地局の稼動状態を判定することで、携帯電話サービスを提供する事業者は、不感知エリアの検出や無線基地局３の稼動状態の監視を簡易に行うことができる。
【００４１】
特に、携帯電話機が自機周辺の電波環境を常時監視していることになるため、エリア測定車が入れない場所や新たに建造物等が竣工されたために電波環境が変わった場所等も不感知エリアであるか否かを、容易に、かつより正確に検出できる。
【図面の簡単な説明】
【図１】本発明の移動通信システムの一構成例を示すブロック図である。
【図２】図１に示した携帯電話機の一構成例を示すブロック図である。
【図３】図１に示した情報処理装置の一構成例を示すブロック図である。
【図４】図３に示したデータ蓄積装置に格納される不感知エリア管理マップの一例を示すテーブル図である。
【図５】本発明の移動通信システム内を携帯電話機が移動する様子を示す模式図である。
【図６】図５に示した各エリアと携帯電話機による電波受信状況とを対比させたテーブル図である。
【符号の説明】
１    ＧＰＳ衛星
２    携帯電話機
３    無線基地局
４    移動通信管理センター
５    情報処理装置
１０    処理装置
１１    ＣＰＵ
１２    主記憶装置
１３    記録媒体
１４    データ蓄積装置
１５    メモリ制御インタフェース部
１６    Ｉ／Ｏインタフェース部
１７    通信制御装置
２０    入力装置
３０    出力装置
２１    送受信部
２２    ＧＰＳ受信部
２３    制御部
２４    入力部
２５    表示部
２６    音声入出力部
２７    入出力制御部
【図１】
2004235827.tif 000003
【図２】
2004235827.tif 000004
【図３】
2004235827.tif 000005
【図４】
2004235827.tif 000006
【図５】
2004235827.tif 000007
【図６】
2004235827.tif 000008